(57)【要約】【課題】デジタル放送を利用して、文字多重放送を提供する。【解決手段】入力制御部１８２は、入力されたアナログ文字放送信号を共有メモリ１８３に転送し、その存在領域をＣＰＵ１８４に通知する。ＣＰＵ１８４は、共有メモリ１８３からアナログ文字放送信号を取り込み解析し、番組管理情報部のデータから、ＰＥＳヘッダ及びＴＳヘッダを生成すると共に、番組情報信号の編成時刻に合わせて制御情報部のデータを生成し、共有メモリ１８３内のコンテンツ情報存在領域に、番組情報信号の信号形式に合わせて表示指示パラメータ記憶部１８７から読み出した表示指示パラメータデータを書き込む。以後、ＣＰＵ１８４は、ＰＥＳヘッダ、ＴＳヘッダ、制御情報部のデータを出力バッファ１８５に格納し、出力制御部１８６に対し共有メモリ１８３上のコンテンツ情報存在領域を通知し、出力バッファ１８５にコンテンツ情報部のデータを格納させる。【選択図】　　図２
2004096369.tif 000002
【特許請求の範囲】
【請求項１】
デジタル放送の番組情報信号を編成時刻に基づいて送出するデジタル放送番組送出装置に適用され、少なくとも番組管理情報領域とコンテンツ情報領域とを備えアナログ放送で規格化されたアナログ文字放送信号を、前記番組情報信号に多重すべき少なくともヘッダ領域と制御情報領域とコンテンツ情報領域とを備えるデジタル文字放送信号に変換するアナログ文字放送／デジタル文字放送変換装置であって、
入力されるアナログ文字放送信号から前記番組管理情報領域のデータを取り込み解析し、前記ヘッダ領域へのデータを生成すると共に、前記番組情報信号の編成時刻に合わせて前記制御情報領域に入れるべき前記デジタル文字放送信号を送出・停止するために必要な制御データを生成するヘッダ・制御データ生成手段と、
入力されるアナログ文字放送信号から前記コンテンツ情報領域のデータを取り込み解析し、前記番組情報信号の信号形式に合わせて前記デジタル放送の受信機に対し文字表示範囲、文字表示座標変換を制御するために必要な表示指定パラメータデータを前記コンテンツ情報領域のデータに付加する表示指定パラメータデータ付加手段と、
前記ヘッダ・制御データ生成手段で生成されたヘッダ領域及び制御情報領域それぞれのデータと前記表示指定パラメータデータ付加手段で得られたコンテンツ情報領域のデータとを格納し出力する出力バッファとを具備することを特徴とするアナログ文字放送／デジタル文字放送変換装置。
【請求項２】
前記番組情報信号と前記デジタル文字放送信号との多重化信号はＭＰＥＧ２（Ｍｏｖｉｎｇ　Ｐｉｃｔｕｒｅ　Ｅｘｐｅｒｔｓ　Ｇｒｏｕｐ　２）符号化方式で規定されるフォーマットで生成されたＴＳ（Ｔｒａｎｓｐｏｒｔ　Ｓｔｒｅａｍ）であり、前記ヘッダ・制御データ生成手段は、入力されるアナログ文字放送信号から前記番組管理情報領域のデータを取り込み解析し、ＰＥＳ（Ｐａｃｋｅｔｉｚｅｄ　Ｅｌｅｍｅｎｔａｒｙ　Ｓｔｒｅａｍ）ヘッダ部及びＴＳヘッダ部のデータを生成することを特徴とする請求項１記載のアナログ文字放送／デジタル文字放送変換装置。
【請求項３】
前記表示指定パラメータデータ付加手段は、前記コンテンツ情報領域のデータ中に前記番組情報信号の主画面部分に合わせて文字情報を表示させるような表示指定パラメータデータを付加することを特徴とする請求項１記載のアナログ文字放送／デジタル文字放送変換装置。
【請求項４】
前記表示指定パラメータデータ付加手段は、前記番組情報信号が１１２５ライン方式の信号である場合に、前記コンテンツ情報領域中のデータに、１１２５ライン方式に対応した文字表示範囲指示情報及び文字表示座標指示情報を付加することを特徴とする請求項１記載のアナログ文字放送／デジタル文字放送変換装置。
【請求項５】
デジタル放送の番組情報信号を編成時刻に基づいて送出するデジタル放送番組送出装置に適用され、少なくとも番組管理情報領域とコンテンツ情報領域とを備えアナログ放送で規格化されたアナログ文字放送信号を、前記番組情報信号に多重すべき少なくともヘッダ領域と制御情報領域とコンテンツ情報領域とを備えるデジタル文字放送信号に変換するアナログ文字放送／デジタル文字放送変換方法であって、
入力されるアナログ文字放送信号から前記番組管理情報領域のデータを取り込み解析し、前記ヘッダ領域へのデータを生成すると共に、前記番組情報信号の編成時刻に合わせて前記制御情報領域に入れるべき前記デジタル文字放送信号を送出・停止するために必要な制御データを生成し、
入力されるアナログ文字放送信号から前記コンテンツ情報領域のデータを取り込み解析し、前記番組情報信号の信号形式に合わせて前記デジタル放送の受信機に対し文字表示範囲、文字表示座標変換を制御するための表示指定パラメータデータを前記コンテンツ情報領域のデータに付加し、
前記生成されたヘッダ領域及び制御情報領域それぞれのデータと前記コンテンツ情報領域のデータとを出力バッファに格納し出力することで前記デジタル文字放送信号を生成することを特徴とするアナログ文字放送／デジタル文字放送変換方法。
【請求項６】
前記番組情報信号と前記デジタル文字放送信号との多重化信号がＭＰＥＧ２（Ｍｏｖｉｎｇ　Ｐｉｃｔｕｒｅ　Ｅｘｐｅｒｔｓ　Ｇｒｏｕｐ　２）符号化方式で規定されるフォーマットで生成されたＴＳ（Ｔｒａｎｓｐｏｒｔ　Ｓｔｒｅａｍ）である場合に、入力されるアナログ文字放送信号から前記番組管理情報領域のデータを取り込み解析し、ＰＥＳ（Ｐａｃｋｅｔｉｚｅｄ　Ｅｌｅｍｅｎｔａｒｙ　Ｓｔｒｅａｍ）ヘッダ部及びＴＳヘッダ部のデータを生成することを特徴とする請求項５記載のアナログ文字放送／デジタル文字放送変換方法。
【請求項７】
前記コンテンツ情報領域のデータ中に前記番組情報信号の主画面部分に合わせて文字情報を表示させるような表示指定パラメータデータを付加することを特徴とする請求項５記載のアナログ文字放送／デジタル文字放送変換方法。
【請求項８】
前記番組情報信号が１１２５ライン方式の信号である場合に、前記コンテンツ情報領域中のデータに、１１２５ライン方式に対応した文字表示範囲指示情報及び文字表示座標指示情報を付加することを特徴とする請求項５記載のアナログ文字放送／デジタル文字放送変換方法。
【発明の詳細な説明】
【０００１】
【発明の属する技術分野】
この発明は、デジタル放送の番組情報信号を送出するデジタル放送番組送出装置に適用され、アナログ放送で規格化されたアナログ文字放送信号を番組情報信号に多重すべきデジタル放送用フォーマットに変換するためのアナログ文字放送／デジタル文字放送変換装置及びアナログ文字放送／デジタル文字放送変換方法に関する。
【０００２】
【従来の技術】
近年、デジタル放送技術の確立に伴い、通信衛星や放送衛星を使用する衛星放送システムではデジタル放送が開始され、さらに地上波放送システムにおいてもデジタル放送への移行が計画されている。
【０００３】
上記デジタル放送の放送局では、既にアナログ放送で実施されているように、放送信号中に、文字や図形で構成される文字放送データを多重して伝送する文字多重放送を行なうことも提唱されている。文字多重放送では、各種の情報番組を放送しており、その中には放送されるべき番組に関する字幕情報を提供しているものもある。
【０００４】
ところで、今後は、上記デジタル放送が普及するまでにアナログ放送との共存が考えられており、この場合、１つの放送局内に、アナログ放送用の送信系統とデジタル放送用の送信系統とが併用されることになる。
しかし、上記放送局では、文字多重放送を実施する場合に、アナログ放送用の文字放送制作装置と、デジタル放送用の文字放送制作装置とを別々に用意しなければならず、システムのコストアップを招いてしまうことになる。
【０００５】
これに対し、アナログ放送で使用されていた既存のアナログ文字放送制作装置を使用し、このアナログ文字放送制作装置で制作されるアナログ文字放送信号からデジタル文字放送信号を生成することも考えられている。
しかし、デジタル放送では、アナログ放送で実施していた文字多重技術をそのまま適用することができない。
【０００６】
【発明が解決しようとする課題】
以上述べたように、デジタル放送にあっては、アナログ放送の文字多重技術をそのまま適用できず、有効な手段が望まれていた。
そこで、この発明の目的は、デジタル放送番組送出システムにあって、コストアップを極力抑えた上で文字多重放送サービスを実現できるようにしたアナログ文字放送／デジタル文字放送変換装置及びアナログ文字放送／デジタル文字放送変換方法を提供することにある。
【０００７】
【課題を解決するための手段】
上記目的を達成するために、この発明に係わるアナログ文字放送／デジタル文字放送変換装置は、デジタル放送の番組情報信号を編成時刻に基づいて送出するデジタル放送番組送出装置に適用され、少なくとも番組管理情報領域とコンテンツ情報領域とを備えアナログ放送で規格化されたアナログ文字放送信号を、番組情報信号に多重すべき少なくともヘッダ領域と制御情報領域とコンテンツ情報領域とを備えるデジタル文字放送信号に変換するアナログ文字放送／デジタル文字放送変換装置であって、入力されるアナログ文字放送信号から番組管理情報領域のデータを取り込み解析し、ヘッダ領域へのデータを生成すると共に、番組情報信号の編成時刻に合わせて制御情報領域に入れるべき前記デジタル文字放送信号を送出・停止するために必要な制御データを生成するヘッダ・制御データ生成手段と、入力されるアナログ文字放送信号からコンテンツ情報領域のデータを取り込み解析し、番組情報信号の信号形式に合わせて前記デジタル放送の受信機に対し文字表示範囲、文字表示座標変換を制御するために必要な表示指定パラメータデータをコンテンツ情報領域のデータに付加する表示指定パラメータデータ付加手段と、ヘッダ・制御データ生成手段で生成されたヘッダ領域及び制御情報領域それぞれのデータと表示指定パラメータデータ付加手段で得られたコンテンツ情報領域のデータとを格納し出力する出力バッファとを備えるようにしたものである。
【０００８】
この構成によれば、入力されたアナログ文字放送信号を番組管理情報領域のデータとコンテンツ情報領域のデータとに分割し、このうち番組管理情報領域のデータからデジタル文字放送信号のヘッダ領域のデータ、及び番組情報信号の編成時刻に合わせて送出タイミング、消去タイミングといったデジタル文字放送信号を送出・停止するために必要な制御データを生成し、さらに、コンテンツ情報領域のデータを解析し、この解析したデータに、番組情報信号の信号形式に合わせた文字表示範囲指示情報、文字表示座標変換指示情報を付加するようにし、以後、ヘッダ領域のデータ、制御情報領域のデータ及びコンテンツ情報領域のデータを出力バッファに格納し送出装置側に出力することでデジタル文字放送信号を生成するようにしている。すなわち、既知のアナログ文字放送制作端末により制作されたアナログ文字放送信号を、デジタル放送用フォーマットに変換する機能を実現することが可能となる。
【０００９】
このため、アナログ文字放送制作端末を利用して、デジタル放送用フォーマットのデジタル文字放送信号を制作しているので、別途専用のデジタル文字放送制作端末を用意することなく、また、一からデジタル文字放送信号を制作する必要がなくなる分、経済的負担の軽減化及び制作時間の短縮化を図ることができる。また、デジタル文字放送信号の制作処理について、ヘッダ領域及び制御情報領域の生成処理とコンテンツ情報領域の生成処理とが並行して行われるため比較的短時間で処理を完了することができ、リアルタイム性が要求される処理にも大変有利となる。さらに、コンテンツ情報領域の生成処理については、既知のアナログ文字放送信号のコンテンツ情報領域中に番組情報信号の信号形式に合わせた文字表示範囲指示情報、文字表示変換指示情報に付加するのみであるので、プロセッサの演算処理量が軽減され、その負担軽減により安価なプロセッサでもデジタル文字放送信号の生成が可能となる。
【００１０】
また、上記構成において、表示指定パラメータデータ付加手段は、番組情報信号の主画面部分に合わせて文字情報を表示させるような表示指示パラメータデータをコンテンツ情報領域のデータに付加するようにしている。このようにすることで、表示画面上で主画面部分から字幕情報がはみ出て表示されたり、主画面部分が垂直方向及び水平方向に伸長・圧縮されたりして字幕情報が見づらくなることを防止でき、視聴者は見やすい表示画面で字幕情報を視聴することができるようになる。
【００１１】
また、上記構成において、表示指定パラメータデータ付加手段は、番組情報信号が１１２５ライン方式の信号である場合に、コンテンツ情報領域中のデータに、１１２５ライン方式に対応した文字表示範囲指示情報及び文字表示座標指示情報を付加するようにしている。例えば、デジタル放送では、１１２５ライン方式の高精細テレビジョン信号と５２５ライン方式の通常テレビジョン信号との混在放送や１１２５ライン方式専用の放送が考えられており、１１２５ライン方式の信号に対応する文字表示範囲指示情報及び文字表示座標指示情報をコンテンツ情報領域のデータに付加するようにすれば、受信機において両方式のテレビジョン放送に柔軟に対応して字幕情報を再生表示することが可能となる。
【００１２】
【発明の実施の形態】
以下、この発明の実施形態について図面を参照して詳細に説明する。
図１は、この発明のアナログ文字放送／デジタル文字放送変換装置の一実施形態を適用した場合のデジタル放送番組送出システムの構成を示すブロック図である。
【００１３】
この図１のデジタル放送番組送出システムは、エンコーダ（ＥＮＣ）１１，１２と、マルチプレクサ（ＭＵＸ）１３と、符号化多重制御装置（ＥＭＣ）１４と、自動番組送出制御装置（ＡＰＣ）１５と、局内時計１６とを備えている。
エンコーダ１１は、映像信号をＭＰＥＧ２符号化方式で圧縮符号化して番組情報信号（ビットストリーム）を生成し、マルチプレクサ１３に出力する。エンコーダ１２は、音声信号をＭＰＥＧ２符号化方式で圧縮符号化してビットストリームを生成し、マルチプレクサ１３に出力する。マルチプレクサ１３は、各エンコーダ１１，１２の出力と、符号化多重制御装置１４から出力されるＰＭＴ（Ｐｒｏｇｒａｍ　Ｍａｐ　Ｔａｂｌｅ）、ＰＡＴ（Ｐｒｏｇｒａｍ　Ａｓｓｏｃｉａｔｉｏｎ　Ｔａｂｌｅ）等のデータとを多重化し、トランスポートストリーム（ＴＳ）として送出する。なお、符号化多重制御装置１４は、自動番組送出制御装置１５から提供される指示情報、放送スケジュールデータ及び局内時計１６で計測される編成時刻に基づいてエンコーダ１１，１２及びマルチプレクサ１３を制御する。
【００１４】
ところで、この実施形態のデジタル放送番組送出システムでは、さらに、アナログ文字放送制作端末装置１７と、文字放送変換装置１８と、文字放送送出装置１９と、エンコーダ２０とを備えている。アナログ文字放送制作端末装置１７は、例えば字幕等のアナログ文字放送信号を制作し、放送スケジュールデータ及び自動番組送出制御装置１５からの指示情報に基づいて制作したアナログ文字放送信号を送出する。このアナログ文字放送信号は、文字放送変換装置１８でデジタル放送用フォーマットに変換された後、文字放送送出装置１９により自動番組送出制御装置１５からの指示に従って送出される。そして、エンコーダ２０によりＭＰＥＧ２符号化方式で圧縮符号化された後、マルチプレクサ１３により他のビットストリームと多重化される。
【００１５】
図２は、この発明の一実施形態とする文字放送変換装置１８の構成を示すブロック図である。
図２において、データバス１８１上には入力制御部１８２、共有メモリ１８３、ＣＰＵ１８４、出力バッファ１８５、出力制御部１８６が接続される。また、ＣＰＵ１８４には、表示指示パラメータ記憶部１８７が接続されている。
【００１６】
入力制御部１８２は、アナログ文字放送制作端末装置１７で制作された番組管理情報部及びコンテンツ情報部を備えるＮＡＢフォーマットのアナログ文字放送信号を取り込み、共有メモリ１８３の然るべき領域に転送し、その転送終了後に共有メモリ１８３上のアナログ文字放送信号の存在領域をＣＰＵ１８４に通知する。
【００１７】
ＣＰＵ１８４は、ヘッダ・情報データ生成機能と、表示指示パラメータ付加機能とを備えており、入力制御部１８２からの通知に基づいて、共有メモリ１８３からアナログ文字放送信号を取り込み、このアナログ文字放送信号に対してヘッダ・情報データ生成機能及び表示指示パラメータ付加機能による処理を施す。このうちヘッダ・情報データ生成機能は、アナログ文字放送信号中の番組管理情報の解析処理、ＰＥＳヘッダ及びＴＳヘッダの内容算出を行なって、出力バッファ１８５にＰＥＳヘッダ及びＴＳヘッダの内容を書き込む。さらに、自動番組送出制御装置１５からの指示情報により番組情報信号の編成時刻に合わせて制御情報部に入れるべき字幕情報の送出タイミング、消去タイミングといった制御データを生成し、出力バッファ１８５に制御データを書き込む。
【００１８】
表示指示パラメータ付加機能は、アナログ文字放送信号中のコンテンツ情報の解析処理を行ない、自動番組送出制御装置１５からの指示情報により番組情報信号の信号形式に合わせてデジタル放送の受信機に対し文字表示範囲、文字表示座標変換を制御するための表示指示パラメータデータを表示指示パラメータ記憶部１８７から読み出し、この表示指示パラメータデータを共有メモリ１８３上のコンテンツ情報存在領域に書き込む。さらに、出力制御部１８６に対して共有メモリ１８３の転送開始アドレス及び転送バイト数を指定する。
【００１９】
出力制御部１８６は、ＣＰＵ１８４から指定されたアドレスから指定されたバイト数だけ、共有メモリ１８３のデータをコンテンツ情報部のデータとして出力バッファ１８５に転送する。
出力バッファ１８５は、ＣＰＵ１８４からのＰＥＳヘッダ、ＴＳヘッダ及び制御情報部の制御データと出力制御部１８６を通じて共有メモリ１８３から転送されるコンテンツ情報部のデータを格納することでデジタル放送用フォーマット（ＴＳパケット形式）のデジタル文字放送信号を生成し、適宜出力する。
【００２０】
上記構成において、以下にその処理動作を説明する。図３はその処理動作を実行する際のＣＰＵ１８４による制御手順及び制御内容を示すフローチャートである。
すなわち、アナログ文字放送制作端末装置１７で制作されたアナログ文字放送信号は、入力制御部１８２によって、共有メモリ１８３の然るべき領域に転送される。入力制御部１８２は、アナログ文字放送信号の転送が終了すると、アナログ文字放送信号の存在領域をＣＰＵ１８４に通知する。
【００２１】
これに対しＣＰＵ１８４は、アナログ文字放送信号を共有メモリ１８３から読み出して解析処理を実行し（ステップＳＴ１）、このアナログ文字放送信号中の番組管理情報部のデータとコンテンツ情報部のデータとを判別する（ステップＳＴ２）。ここで、番組管理情報部のデータと判別した場合に、この番組管理情報部の内容からＰＥＳヘッダ及びＴＳヘッダの内容を算出するとともにＡＰＣ１５からの指示情報により番組情報信号に合わせて送出タイミング、消去タイミング、字幕の組情報といった制御情報部のデータ内容を算出して（ステップＳＴ３）、出力バッファ１８５にそれら内容を書き込む（ステップＳＴ４）。
【００２２】
その後に続くコンテンツ情報部のデータについて、ＣＰＵ１８４は、ＡＰＣ１５から指示情報から番組情報信号の信号形式を判断し、この判断結果に基づいて表示指示パラメータ記憶部１８７から該当する表示指示パラメータデータを読み出し、共有メモリ１８３のコンテンツ情報領域に書き込む（ステップＳＴ５）。以後、ＣＰＵ１８４は、出力制御部１８６に対して共有メモリ１８３のコンテンツ情報部のデータが格納されている転送開始アドレス及び転送バイト数を指定する。すると、出力制御部１８６は、ＣＰＵ１８４の指定アドレスから指定バイト数だけ、共有メモリ１８３のデータをコンテンツ情報部のデータとして出力バッファ１８５に転送する。これでデジタル文字放送信号が生成される。
【００２３】
次に、表示指示パラメータデータを付加したことによる受信機の再生表示の様子を図４から図７を参照して説明する。
ここで、従来から実施されているアナログ放送では、放送局側で、放送信号中に字幕情報を多重して伝送することにより、図４に示すように、受信機側で字幕情報が映像とともに再生表示される。ところで、デジタル放送が実施されると、図５（ａ）に示すアスペクト比４：３のＳＤＴＶ（Ｓｔａｎｄａｒｄ　Ｄｅｆｉｎｉｔｉｏｎ　ＴＶ）信号をアスペクト比１６：９の画面に表示する場合に、図５（ｂ）に示すように、左右端に無画部を設けて表示したり、また、図６（ａ）に示すように、放送局側で画像圧縮処理を施し、図６（ｂ）に示すように、受信機側で画像の伸長処理を施して表示することも可能となる。また、図７（ａ）に示すように、アスペクト比１６：９の信号を放送局側で送出し、図７（ｂ）に示すように、受信機側でそのまま再生表示することもできる。
【００２４】
しかしながら、アナログ文字放送で規格化されているＮＡＢフォーマットでは、字幕情報の表示形式がアスペクト比４：３で予め決められているので、図５〜図７に示すように、番組情報信号の信号形式に合わせて字幕情報を表示することができない。そこで、この発明の実施形態では、アナログ文字放送信号中のコンテンツ情報部に受信機に対し文字表示範囲、文字表示座標変換を指定するための表示指示パラメータデータを挿入することにより、番組情報信号の種々の形式に合わせて字幕情報を表示することが可能となる。
【００２５】
例えば図５に示すような表示形式では、主画面部分に合わせて文字表示範囲を指定すれば、主画面部分に字幕情報を綺麗に表示することができる。また、図６に示すような表示形式では、受信機側で真円率が１となるように文字表示座標変換を指定すれば、画面上に違和感なく表示することができる。
【００２６】
さらに、デジタル放送では、１１２５ライン方式のＨＤＴＶ（Ｈｉｇｈ　Ｄｅｆｉｎｉｔｉｏｎ　ＴＶ）信号とＳＤＴＶ信号との混在放送が考えられている。この場合、ＨＤＴＶ信号に対応する文字表示範囲指示情報及び文字表示座標指示情報をコンテンツ情報部のデータに付加するようにすれば、受信機において両方式のテレビジョン放送に柔軟に対応して字幕情報を再生表示することが可能となる。
【００２７】
以上のように上記実施形態では、文字放送変換装置１８において、アナログ文字放送制作端末装置１７により制作されたアナログ文字放送信号が入力制御部１８２により共有メモリ１８３に転送されるとともに、その共有メモリ１８３のアナログ文字放送信号存在領域がＣＰＵ１８４に通知される。この通知を受けてＣＰＵ１８４は、共有メモリ１８３からアナログ文字放送信号を取り込み解析し、アナログ文字放送信号の番組管理情報部のデータから、ＰＥＳヘッダ及びＴＳヘッダを生成すると共に、番組情報信号の編成時刻に合わせて制御情報部に入れるべきデジタル文字放送信号を送出・停止するために必要な制御データを生成するヘッダ・制御データ生成処理手順と、共有メモリ１８３内のコンテンツ情報存在領域に、番組情報信号の信号形式に合わせて表示指示パラメータ記憶部１８７から読み出した文字表示範囲指示情報、文字表示座標変換指示情報を付加して書き込む表示指示パラメータ付加処理手順を実行するようにしている。以後、ＣＰＵ１８４は、ＰＥＳヘッダ、ＴＳヘッダ、制御情報部のデータを出力バッファ１８５に格納し、出力制御部１８６に対し共有メモリ１８３上のコンテンツ情報存在領域の転送開始アドレス及び転送バイト数を指定し、出力バッファ１８５にコンテンツ情報部のデータを格納させることでデジタル文字放送信号を生成するようにしている。すなわち、既知のアナログ文字放送制作端末装置１７により制作されたアナログ文字放送信号を、デジタル放送用フォーマットに変換する機能を実現することが可能となり、制作者はアナログ放送向けの文字放送信号を制作するだけでよくなる。
【００２８】
このため、既知のアナログ文字放送制作端末装置１７を利用して、デジタル放送用フォーマットのデジタル文字放送信号を制作しているので、別途専用のデジタル文字放送制作端末を用意することなく、また、一からデジタル文字放送信号を制作する必要がなくなる分、経済的負担の軽減化及び制作時間の短縮化を図ることができる。また、デジタル文字放送信号の制作処理について、ＣＰＵ１８４にてＰＥＳヘッダ、ＴＳヘッダ及び制御情報部の生成処理とコンテンツ情報部の生成処理とが並行して行われるため比較的短時間で処理を完了することができ、特に字幕情報といったリアルタイム性が要求される処理に大変有利となる。さらに、コンテンツ情報部の生成処理については、アナログ文字放送信号のコンテンツ情報部中に番組情報信号の信号形式に合わせた文字表示範囲指示情報、文字表示変換指示情報を付加するのみであるので、ＣＰＵ１８４の演算処理量が軽減され、その負担軽減により安価なプロセッサでもデジタル文字放送信号の生成が可能となる。
【００２９】
また、上記実施形態では、コンテンツ情報部の生成処理手順において、ＣＰＵ１８４は、放送されるべき番組情報信号の主画面部分に合わせて文字情報を表示させるような表示指示パラメータデータを表示指示パラメータ記憶部１８７から読み出して共有メモリ１８３内のコンテンツ情報部のデータに付加するようにしている。このため、受信機側において、表示画面上で主画面部分から字幕情報がはみ出て表示されたり、主画面部分が垂直方向及び水平方向に伸長・圧縮されたりして字幕情報が見づらくなることを防止でき、視聴者は見やすい表示画面で字幕情報を視聴することができるようになる。
【００３０】
さらに、上記実施形態では、コンテンツ情報部の生成処理手順において、番組情報信号が１１２５ライン方式のＨＤＴＶ信号である場合に、コンテンツ情報領域中のデータに、１１２５ライン方式に対応した文字表示範囲指示情報及び文字表示座標指示情報を付加するようにすれば、受信機において、種々の信号方式のテレビジョン放送にも柔軟に対応して字幕情報といった文字放送信号を再生表示することが可能となる。
その他、文字放送変換装置の構成、ＣＰＵによる処理手順、制御情報部のデータの種類や表示指定パラメータデータの種類等についても、この発明の要旨を逸脱しない範囲で種々変形して実施できる。
【００３１】
【発明の効果】
以上詳述したようにこの発明によれば、デジタル放送番組送出システムにあって、コストアップを極力抑えた上で文字多重放送サービスを実現できるようにしたアナログ文字放送／デジタル文字放送変換装置及びアナログ文字放送／デジタル文字放送変換方法を提供することができる。
【図面の簡単な説明】
【図１】この発明が適用されるデジタル放送番組送出システムの構成を示すブロック図。
【図２】この発明の一実施形態とする文字放送変換装置の構成を示すブロック図。
【図３】上記図２に示したＣＰＵの処理動作を説明するために示すフローチャート。
【図４】アナログ放送で実施されている字幕情報表示の例を示す図。
【図５】デジタル放送で実施される字幕情報表示の一例を示す図。
【図６】デジタル放送で実施される字幕情報表示の他の例を示す図。
【図７】同じくデジタル放送で実施される字幕情報表示の他の例を示す図。
【符号の説明】
１１、１２、２０…エンコーダ（ＥＮＣ）、
１３…マルチプレクサ（ＭＵＸ）、
１４…符号化多重制御装置（ＥＭＣ）、
１５…自動番組送出制御装置（ＡＰＣ）、
１６…局内時計、
１７…アナログ文字放送制作端末装置、
１８…文字放送変換装置、
１９…文字放送送出装置、
１８１…データバス、
１８２…入力制御部、
１８３…共有メモリ、
１８４…ＣＰＵ、
１８５…出力バッファ、
１８６…出力制御部、
１８７…表示指示パラメータ記憶部。
【図１】
2004096369.tif 000003
【図２】
2004096369.tif 000004
【図３】
2004096369.tif 000005
【図４】
2004096369.tif 000006
【図５】
2004096369.tif 000007
【図６】
2004096369.tif 000008
【図７】
2004096369.tif 000009